(57)【特許請求の範囲】
【請求項１】
ドアに対し当該ドアの縦方向に巻き付けられる帯材と、
当該ドアに巻き付けられた状態の前記帯材に対し着脱自在に取り付けられる被覆材と、を備えることを特徴とするドア用養生具。
【請求項２】
前記帯材の前記ドアに面する部分には、硬質の補強板が前記帯材に沿って固定されることを特徴とする請求項１記載のドア用養生具。
【請求項３】
前記被覆材は、前記ドアの縦方向に並設される複数の板材で構成されることを特徴とする請求項１又は２記載のドア用養生具。
【請求項４】
前記帯材は、前記ドアの横方向に離間して複数設けられることを特徴とする請求項１〜３のいずれか一項記載のドア用養生具。
【請求項５】
請求項１〜４のいずれか一項記載のドア用養生具が装着されたことを特徴とするドア。
【請求項６】
請求項５に記載のドアを備えたことを特徴とする建物。
【発明の詳細な説明】
【技術分野】
【０００１】
本発明は、ドア用養生具、その養生具が装着されたドア、及びそのドアを備える建物に関する。
【背景技術】
【０００２】
従来、下記特許文献に記載されるように、ドアの搬送中やドアを備える建物の建設中において、そのドアを保護するためのドア用養生具が知られている。これらの養生具は、ドアの外側の面部を覆う被覆材とドアの内側の面部を覆う被覆材とを有している。例えば、下記特許文献１に記載の養生具では、両面の被覆材が上部で連結されて一体化されると共に、両面の被覆材の側端部同士が、ドアの戸先部および戸尻部を横切るように設けられた係止片によって、面ファスナで連結される。また、特許文献２の養生具では、両面の被覆材は、上部では連結されず別体となっている。各被覆材はドアに対して両面テープで仮止めされると共に、特許文献１に記載の養生具と同様にして、その側端部同士が固定バンドによって連結される。
【先行技術文献】
【特許文献】
【０００３】
【特許文献１】特開２００２−０９７８４８号公報
【特許文献２】特開２００７−２４７３０４号公報
【発明の概要】
【発明が解決しようとする課題】
【０００４】
しかしながら、上記特許文献１に記載の養生具では、両面の被覆材が上部で一体化されているため、この一体化された被覆材によって一度にドアを覆う必要があり、装着時の作業性が良くない。また、上記特許文献２に記載の養生具では、上部は連結されず側端部のみが連結される構造のため、両面テープを用いた固定が十分でない場合には、被覆材がズレ落ちてしまい、安定性に欠ける。
【０００５】
そこで本発明は、装着時の作業性を向上できると共に、安定性を確保できるドア用養生具、その養生具が装着されたドア、及びそのドアを備える建物を提供することを目的とする。
【課題を解決するための手段】
【０００６】
本発明に係るドア用養生具は、ドアに対し当該ドアの縦方向に巻き付けられる帯材と、当該ドアに巻き付けられた状態の帯材に対し着脱自在に取り付けられる被覆材と、を備えることを特徴とする。
【０００７】
このドア用養生具によれば、ドアに対し、そのドアの縦方向に帯材が巻き付けられ、この帯材に対し被覆材が着脱自在に取り付けられる。よって、ドアに帯材を巻き付けた後に被覆材を取り付けるだけで養生具の装着が済み、装着時の作業性が向上する。また、被覆材は帯材に着脱自在に取り付けられるため、被覆材がズレ落ちたりすることがなく、安定性が確保される。
【０００８】
ここで、被覆材は、ドアの縦方向に並設される複数の板材で構成されると、同じ領域を覆う場合に板材１枚あたりのサイズが小さくなる。そして、帯材に対し各板材を順に取り付ければよいため、装着時の作業性がより一層向上する。さらには、被覆材の一部が破損した場合であっても、被覆材の全体を交換する必要はなく、破損した一部の板材を交換すればよいため、経済性に優れる。
【０００９】
また、帯材は、ドアの横方向に離間して複数設けられると、幅寸法の異なるドアに対しても同じ帯材を用いることができ、汎用性が高められる。しかも、被覆材は横方向の複数の位置で帯材によって支持されるため、被覆材を安定して取付けることができる。
【００１０】
また、帯材のドアに面する部分には、硬質の補強板が帯材に沿って固定されると、ドアの一方の面に沿う補強板がその裏面側に移動することがなく、帯材のズレを防止することができる。さらには、建物に取り付けられたドアに帯材を巻き付ける際、作業者は、脚立などを使用しなくとも、補強板を持ちながら帯材をドアの上端部に引っ掛けることができ、帯材の巻き付けが一層容易になる。
【００１１】
また、上記のドア用養生具が取り付けられたドアによれば、そのドアの搬送中であっても、そのドアが取り付けられた建物の建設中であっても、養生具によってドアが適切に保護され、ドアの損傷を防止することができる。
【００１２】
また、上記のドアを備えた建物によれば、建設中におけるドアの損傷を適切に防止することができる。
【発明の効果】
【００１３】
本発明によれば、装着時の作業性を向上できると共に、安定性を確保できる。
【図面の簡単な説明】
【００１４】
【図１】本発明の一実施形態に係る養生具が装着されたドアの正面図である。
【図２】図１中の養生具の分解斜視図である。
【図３】図１のドアを備える建物の正面図である。
【図４】（ａ）及び（ｂ）は、養生具の装着手順を示す図である。
【図５】従来の養生具を用いた場合におけるドアの戸先部の拡大断面図である。
【発明を実施するための形態】
【００１５】
以下、本発明の一実施形態について、図面を参照しながら説明する。
【００１６】
図１に示すように、養生具１は、例えば玄関のドア２に装着されて、ドア２を保護するためのドア用養生具である。養生具１は、建物Ａ（図３参照）の建設中におけるドア２の養生に用いられる。また養生具１は、ドア２の搬送中におけるドア２の梱包材として用いることもできる。図１に示す例では、ドア２は、ドア枠３に取り付けられた開きドアである。ドア２には、錠部２ｂおよびハンドル２ａが設けられている。
【００１７】
図１及び図２に示すように、養生具１は、ドア２に対してドア２の縦方向（図１の上下方向）に巻き付けられる２本の帯材４，５を備えている。帯材４，５は、ドア２の横方向（図１の左右方向）に離間して設けられている。
【００１８】
帯材４，５の表面には、面ファスナの雌部（又は雄部）が全面にわたって設けられている。帯材４，５の一端部（例えば図２に示す帯材５の一端部５ａ）は、ドア２の下端部付近において、面ファスナの雄部（又は雌部）が裏面に設けられた他端部（例えば図２に示す帯材５の他端部５ｂ）と係合可能になっている。これにより、帯材４，５は、ドア２に対して着脱可能に巻き付けられる。一方の帯材４は、ドア２の戸尻側の端部寄りに配置され、他方の帯材５は、ドア２の戸先側の端部寄りに配置される。
【００１９】
帯材４の裏面側には、帯材４に沿って２枚の硬質の補強板８ａ，８ｂが固定されている。補強板８ａは、ドア２の外側（屋外側）の面部に面する部分の上端寄りに添えられており、補強板８ｂは、ドア２の内側（室内側）の面部に面する部分の上端寄りに添えられている。各補強板８ａ，８ｂの長さは、例えば、ドア２の縦寸法の半分程度とされる。ドア２の上端縁２ｃ（図４参照）に引っ掛かる帯材４の中間部４ｃには、補強板は設けられていない。
【００２０】
帯材５の裏面側には、帯材５に沿って２枚の硬質の補強板９ａ，９ｂが固定されている。補強板９ａは、ドア２の外側（屋外側）の面部に面する部分の上端寄りに添えられており、補強板９ｂは、ドア２の内側（室内側）の面部に面する部分の上端寄りに添えられている。各補強板９ａ，９ｂの長さは、例えば、ドア２の縦寸法の半分程度とされる。ドア２の上端縁２ｃ（図４参照）に引っ掛かる帯材５の中間部５ｃには、補強板は設けられていない。
【００２１】
これらの補強板８ａ，８ｂ及び補強板９ａ，９ｂは、例えばプラスチックダンボール製であってもよいし、他の硬質の材料からなってもよい。
【００２２】
養生具１は、ドア２の外側の面部を保護するための被覆材６と、ドア２の内側の面部を保護するための被覆材７と、を備えている。被覆材６，７のそれぞれは、上記の帯材４，５の表面側に着脱可能に取り付けられるよう構成されている。
【００２３】
被覆材６は、ドア２の縦方向に並設される６枚の板材６ａ〜６ｅからなる。すなわち、被覆材６は、上下方向に分割されている。被覆材７は、ドア２の縦方向に並設される６枚の板材７ａ〜７ｅからなる。すなわち、被覆材７は、上下方向に分割されている。板材６ａ〜６ｅ及び板材７ａ〜７ｅの縦方向および横方向のサイズ（高さ寸法および幅寸法）は、ほぼ等しくなっている。板材６ａ〜６ｅ及び板材７ａ〜７ｅのそれぞれは、隣り合う板材と多少重なり合っている。板材６ａ〜６ｅ及び板材７ａ〜７ｅは、プラスチックダンボール製である。
【００２４】
ハンドル２ａ及び錠部２ｂに対応する位置に設けられる板材６ｂ，６ｃには、ハンドル２ａ及び錠部２ｂの領域に切り欠き１６ｂ，１６ｃが形成されている。ハンドル２ａ及び錠部２ｂに対応する位置に設けられる板材７ｂ，７ｃには、ハンドル２ａ及び錠部２ｂの領域に切り欠き１７ｂ，１７ｃが形成されている。これにより、例えば建物Ａの建設中におけるドア２の開閉操作およびドア２の施錠・開錠が支障なく行われる（図３参照）。
【００２５】
各板材６ａ〜６ｅの裏面側には、帯材４，５に対応する位置において、上下方向に長い２枚の係止片１０，１０が固定されている。各係止片１０，１０は、各板材６ａ〜６ｅの幅方向（左右方向）の両端寄りに配置される。各係止片１０，１０は、帯材４，５に対面するように設けられた、雄部（又は雌部）を有する面ファスナである。
【００２６】
各板材７ａ〜７ｅの裏面側には、帯材４，５に対応する位置において、上下方向に長い２枚の係止片１１，１１が固定されている。各係止片１１，１１は、各板材７ａ〜７ｅの幅方向（左右方向）の両端寄りに配置される。各係止片１１，１１は、帯材４，５に対面するように設けられた、雄部（又は雌部）を有する面ファスナである。
【００２７】
上記の係止片１０及び係止片１１が帯材４及び帯材５にそれぞれ係合することにより、被覆材６，７のそれぞれは、帯材４，５に対して着脱可能に取り付けられる。面ファスナの採用により、板材６ａ〜６ｅ，７ａ〜７ｅは、帯材４，５に対して確実かつ容易に取り付けられる。
【００２８】
次に、養生具１の装着手順について説明する。図４（ａ）に示すように、作業者２０は、補強板８ａ，８ｂが添えられた部分を両手で持ちながら、帯材４をドア２の上端縁２ｃに引っ掛け、帯材４の一端部にその他端部を留める。また、作業者２０は、補強板９ａ，９ｂが添えられた部分を両手で持ちながら、帯材５をドア２の上端縁２ｃに引っ掛け、帯材５の一端部５ａにその他端部５ｂを留める。この作業により、作業者２０は、帯材４，５を容易に巻き付けることができる。
【００２９】
続いて、図４（ｂ）に示すように、作業者２０は、帯材４，５に対して下から順に、外側の板材６ａ，６ｂ，６ｃ…を取り付ける。同様して、作業者２０は、内側の板材７ａ〜７ｅ（図２参照）を取り付ける。この作業により、作業者２０は、被覆材６及び被覆材７を容易に取り付けることができる。このように、養生具１の装着作業は、少ない手間で完了する。ここで、板材６ａ〜６ｅ及び板材７ａ〜７ｅはプラスチックダンボール製であるので、ドア２のサイズに合わせて現場で板材を加工することも容易になっている。
【００３０】
以上説明した養生具１によれば、ドア２に対し、ドア２の縦方向に帯材４，５が巻き付けられ、この帯材４，５に対し被覆材６，７が着脱自在に取り付けられる。よって、ドア２に帯材４，５を巻き付けた後に被覆材６，７を取り付けるだけで養生具１の装着が済み、装着時の作業性が高められている。また、被覆材６，７は帯材４，５に着脱自在に取り付けられるため、被覆材６，７がズレ落ちたりすることがなく、安定性が確保されている。
【００３１】
図５は、従来の養生具を用いた場合におけるドアの戸先部の拡大断面図である。図５に示すように、従来の養生具４０をドア３１に装着すると、ドア３１の戸先側端部３１ａは、外側被覆材４２と内側被覆材４３とを連結するための連結ベルト４４で覆われることとなる。また、ドア３１の戸先側端部３１ａには、デッドボルトを覆い隠すために戸先側端部３１ａから突出したドアエッジ３２が取り付けられることもあり、連結ベルト４４は、戸先側端部３１ａのみならずドアエッジ３２をも覆うことになる。そのため、連結ベルト４４は戸先側端部３１ａから浮いた状態となり、この浮き上がった部分が戸先側のドア枠３３に干渉し、ドア３１が閉まり難かった。
【００３２】
しかしながら、本実施形態の養生具１によれば、ドア２の縦方向に帯材４，５が巻き付けられるのみであって、ドア２の戸先側端部やドアエッジに干渉する部品はなく、ドア２が閉まり難くなるといった問題は生じず、建物Ａの建設中においても支障なくドア２を開閉することができる。
【００３３】
また、ドア２に帯材４，５を巻き付けるだけでよいため、例えばドア２の搬送のために梱包を行う際には、ドア２全体を持ち上げるといった労力を要することなく養生具１を装着できる。また、被覆材６，７は帯材４，５に対して着脱自在なので、ドアの寸法に合わせた被覆材を用いることによって異なるサイズのドアに対応可能となり、汎用性が高められている。
【００３４】
また、被覆材６，７は、ドア２の縦方向に並設される複数の板材６ａ〜６ｅ，７ａ〜７ｅを有するため、同じ領域を覆う場合に板材１枚あたりのサイズが小さくなる。そして、帯材４，５に対し各板材６ａ〜６ｅ，７ａ〜７ｅを順に取り付ければよいため、装着時の作業性がより一層向上する。さらには、被覆材６，７の一部が破損した場合であっても、被覆材６，７の全体を交換する必要はなく、破損箇所の板材（板材６ａ〜６ｅ，７ａ〜７ｅのうち破損した一枚または数枚）を交換すればよいため、経済性に優れている。建物Ａの建設中においては、資材の運搬などによってドア２の中央部を覆う養生具が傷み易いが、養生具１では、分割された板材を交換すればよいため、従来の一体化された養生具に比して、経済性の観点から有利である。しかも、運搬や保管にも都合がよく、さらには、枚数の調整や一部の板材の寸法調整によって高さ寸法の異なるドアに対応可能となり、汎用性がより一層高められている。
【００３５】
また、ドア２の横方向に離間して複数の帯材４，５が設けられるため、幅寸法の異なるドアに対しても同じ帯材４，５を用いることができ、汎用性が高められている。しかも、被覆材６，７は横方向の２箇所で帯材４，５によって支持されるため、被覆材６，７を安定して取付けられる。
【００３６】
また、帯材４，５には硬質の補強板８ａ，８ｂ，９ａ，９ｂが帯材４，５に沿って固定されるため、ドア２の一方の面に沿う補強板がその裏面側に移動することがなく、帯材４，５のズレが防止される。さらには、建物Ａに取り付けられたドア２に帯材４，５を巻き付ける際、作業者２０は、脚立などを使用しなくとも、これらの補強板８ａ，８ｂ，９ａ，９ｂを持ちながら帯材４，５をドア２の上端縁２ｃに引っ掛けることができ、帯材４，５の巻き付けが一層容易になっている。
【００３７】
硬質の補強板８ａ，８ｂ，９ａ，９ｂが設けられるため、例えば、この補強板８ａ，８ｂ，９ａ，９ｂ及び帯材４，５を利用して作業者を管理するためのボックス状の装置（例えばタイムレコーダ等）を取り付けることができる。よって、装置を取り付けるためのパネル等を別途用意する必要がない。なお、ボックス状の装置を取り付ける場合、装置が取り付けられる箇所の被覆材を切り欠く（くり抜く）ようにしてもよい。
【００３８】
また、養生具１が取り付けられたドア２によれば、ドア２の搬送中であっても、ドア２が取り付けられた建物Ａの建設中であっても、養生具１によってドア２が適切に保護され、ドア２の損傷が防止される。
【００３９】
また、養生具１が取り付けられたドア２を備えた建物Ａによれば、建設中におけるドア２の損傷が適切に防止される。
【００４０】
以上、本発明の実施形態について説明したが、本発明は上記実施形態に限られるものではない。例えば、上記実施形態では、ドア２の両面に被覆材６及び被覆材７が設けられる場合について説明したが、被覆材は、いずれか一方の面にのみ設けてもよい。また、上記実施形態では、補強板８ａ，８ｂおよび補強板９ａ，９ｂがドア２の外側および内側の両面に面する部分に設けられる場合について説明したが、外側および内側の面部のいずれか一方に面する部分のみに設けられてもよい。
【００４１】
また、帯材は、１本であってもよく、３本以上であってもよい。また、例えば幅寸法の大きいドアに適用する場合、被覆材は、横方向に分割されてもよい。ドアは、開きドアである場合に限られず、例えばスライドドアや、その他のドアであってもよい。また、被覆材は、板状である場合に限られず、例えば、丸みを帯びたクッション材であってもよく、横向きに取り付けられた棒状の部材であってもよい。
【００４２】
また、上記実施形態では、被覆材に設ける係止片として、上下方向に長い面ファスナを用いる場合について説明したが、係止片として、横方向に長い面ファスナを用いてもよい。この場合、各板材の高さ寸法に比して幅が広い面ファスナを使用すれば、上下方向の１箇所に係止片（１本の係止片）を設けるのみでよい。また、幅が狭い面ファスナであっても、上下方向の２箇所に係止片（２本の係止片）を配置してもよい。このように、横方向に長い面ファスナを用いることにより、帯材の横方向の位置を厳密に調整する必要がなくなり、作業性が向上する。
【符号の説明】
【００４３】
１…養生具（ドア用養生具）、２…ドア、４，５…帯材、６…被覆材、６ａ〜６ｅ…板材、７…被覆材、７ａ〜７ｅ…板材、８ａ，８ｂ…補強板、９ａ，９ｂ…補強板、Ａ…建物。
【図１】
0005680462.tif 000002
【図２】
0005680462.tif 000003
【図３】
0005680462.tif 000004
【図４】
0005680462.tif 000005
【図５】
0005680462.tif 000006